(57)【要約】【課題】  本発明は、液晶ディスプレーの各ライン別に受信される所定のＲ、Ｇ、Ｂデジタルデータを補償及び補正するためのフィードフォワード回路部が具備される液晶表示装置を提供する。【解決手段】  フィードフォワード回路部が具備される液晶表示装置が開示される。液晶表示装置はフィードフォワード回路部が具備されるにより液晶ディスプレーパネルの各ライン別に発生する干渉現象である色滲みを防止して、液晶ディスプレーパネルの画質及び寿命を向上させる。【選択図】  図３
2006235569.tif 000002
【特許請求の範囲】
【請求項１】
第１デジタルデータと第２デジタルデータを比較演算して前記比較演算による補正値を生成して、前記第２デジタルデータに前記補正値を反映して補正デジタルデータを出力するためのフィードフォワード回路部；及び
前記補正デジタルデータを受信して、前記補正デジタルデータに相応する映像をディスプレーするための液晶ディスプレーパネルを含む液晶表示装置。
【請求項２】
前記液晶表示装置は、
カラーフィールド順次駆動方式によって”１”フレームを基準にしてレッド、グリーン、ブルー各色の独立した光源を順次周期的にディスプレーされることを特徴とする請求項１に記載の液晶表示装置。
【請求項３】
フィードフォワード回路部は、
前記第１デジタルデータのうちに”１”で表現されるビット個数と前記第２デジタルデータのうちに”１”で表現されるビット個数を比較演算して補正値を生成するための第１フィードフォワードと；
前記第２デジタルデータを伝送するための第２フィードフォワード；及び
前記第１フィードフォワードの補正値と前記第２フィードフォワードの第２デジタルデータを反映して補正デジタルデータを生成するための混合器を含むことを特徴とする請求項２に記載の液晶表示装置。
【請求項４】
前記第１フィードフォワードは、
第１デジタルデータのうちに”１”で表現されるビット個数と第２デジタルデータのうちに”１”で表現されるビット個数をそれぞれカウンターするオンカウンターと；
前記第１デジタルデータのうちに”１”で表現されるビット個数と第２デジタルデータのうちに”１”で表現されるビット個数をそれぞれ保存するメモリー部と；
前記メモリー部から保存された前記第１デジタルデータのうちに”１”で表現されるビット個数と第２デジタルデータのうちに”１”で表現されるビット個数をそれぞれ受信して、演算動作を介して補償データを生成する演算部；及び
前記補償データを受信して、補正係数を適用して補正値を生成するためのレベル調整部を含むことを特徴とする請求項３に記載の液晶表示装置。
【請求項５】
前記補償データは前記第１デジタルデータのうちに”１”で表現されるビット個数と第２デジタルデータのうちに”１”で表現されるビット個数を引き算演算した値であることを特徴とする請求項４に記載の液晶表示装置。
【請求項６】
前記補正値は前記補償データと前記補正係数を掛け算演算した値であることを特徴とする請求項５に記載の液晶表示装置。
【請求項７】
前記演算部は前記メモリー部に保存された第１デジタルデータのうちに”１”で表現されるビット個数と第２デジタルデータのうちに”１”で表現されるビット個数を受信するために前記メモリー部にコマンド信号を伝達することを特徴とする請求項４に記載の液晶表示装置。
【請求項８】
前記レベル調整部はあらかじめインプラントされたアルゴリズムを介して前記補償データを調整するための補正係数を生成することを特徴とする請求項４に記載の液晶表示装置。
【請求項９】
前記補正係数は流動的に変動される計数値であることを特徴とする請求項８に記載の液晶表示装置。
【請求項１０】
前記混合器は前記第２デジタルデータから前記補正値を減算して前記補正デジタルデータを生成することを特徴とする請求項３に記載の液晶表示装置。
【請求項１１】
前記第２フィードフォワードは前記補正デジタルデータを前記第１フィードフォワードから前記液晶ディスプレーパネルに受信するのにかかる遅延時間に相応されるようにする遅延回路をさらに含むことを特徴とする請求項３に記載の液晶表示装置。
【請求項１２】
フィードフォワード回路部は、
第１デジタルデータのうちに０で表現されるビット個数と前記第２デジタルデータのうちに０で表現されるビット個数を比較演算して補正値を生成するための第１フィードフォワードと；
前記第２デジタルデータを伝送するための第２フィードフォワード；及び
前記第１フィードフォワードの補正値と前記第２フィードフォワードの第２デジタルデータを反映して補正デジタルデータを生成するための混合器を含むことを特徴とする請求項２に記載の液晶表示装置。
【請求項１３】
前記第１フィードフォワードは、
第１デジタルデータのうちに０で表現されるビット個数と第２デジタルデータのうちに０で表現されるビット個数がそれぞれカウンターされるオフカウンター部と；
前記第１デジタルデータのうちに０で表現されるビット個数と第２デジタルデータのうちに０で表現されるビット個数がそれぞれ保存されるメモリー部と；
前記メモリー部から保存された前記第１デジタルデータのうちに０で表現されるビット個数と第２デジタルデータのうちに０で表現されるビット個数をそれぞれ受信して、演算を介して補償データが生成される演算部；及び
前記演算部から補償データを受信して、補正係数を適用して補正値を生成するためのレベル調整部を含むことを特徴とする請求項１２に記載の液晶表示装置。
【請求項１４】
第１デジタルデータ及び第２デジタルデータを受信して、前記第１デジタルデータの”１”で表現されるビット個数及び前記第２デジタルデータの”１”で表現されるビット個数をカウンターするためのオンカウンター部と；
前記第１デジタルデータの”１”で表現されるビット個数及び前記第２デジタルデータの”１”で表現されるビット個数を保存するためのメモリー部と；
前記第１デジタルデータの”１”で表現されるビット個数及び前記第２デジタルデータの”１”で表現されるビット個数を演算して補償データを生成するための演算部と；
前記補償データを受信して、補正係数との演算を介して補正値を形成するためのレベル調整部と；
前記第２デジタルデータと前記補正値を演算して補正デジタルデータを発生するための混合器；及び
前記補正デジタルデータを受信して、前記補正デジタルデータに相応する映像をディスプレーするための液晶表示装置。
【請求項１５】
前記液晶表示装置は、
カラーフィールド順次駆動方式によって１フレームを基準にしてレッド、グリーン、ブルー各色の独立した光源を順次周期的にディスプレーされることを特徴とする請求項１４に記載の液晶表示装置。
【請求項１６】
前記補償データは前記第１デジタルデータのうちに”１”で表現されるビット個数と第２デジタルデータのうちに”１”で表現されるビット個数を引き算演算した値であることを特徴とする請求項１５に記載の液晶表示装置。
【請求項１７】
前記補正値は前記補償データと前記補正係数を掛け算演算した値であることを特徴とする請求項１６に記載の液晶表示装置。
【請求項１８】
第１デジタルデータ及び第２デジタルデータを受信して、前記第１デジタルデータの０で表現されるビット個数及び前記第２デジタルデータの０で表現されるビット個数をカウンターするためのオフカウンター部と；
前記第１デジタルデータの０で表現されるビット個数及び前記第２デジタルデータの０で表現されるビット個数を保存するためのメモリー部と；
前記第１デジタルデータの０で表現されたビット個数及び前記第２デジタルデータの０で表現されるビット個数を演算して補償データを生成するための演算部と；
前記補償データを受信して、補正係数との演算を介して補正値を形成するためのレベル調整部と；
前記第２デジタルデータと前記補正値を演算して補正デジタルデータを発生するための混合器；及び
前記補正デジタルデータを受信して、前記補正デジタルデータに相応する映像をディスプレーするための液晶ディスプレーパネルを含む液晶表示装置。
【請求項１９】
前記液晶表示装置は、
カラーフィールド順次駆動方式によって１フレームを基準にしてレッド、グリーン、ブルー各色の独立した光源を順次周期的にディスプレーされることを特徴とする請求項１８に記載の液晶表示装置。
【請求項２０】
前記補償データは前記第１デジタルデータのうちに０で表現されるビット個数と第２デジタルデータのうちに０で表現されるビット個数を引き算演算した値であることを特徴とする請求項１９に記載の液晶表示装置。
【請求項２１】
前記補正値は前記補償データと前記補正係数を掛け算演算した値であることを特徴とする請求項２０に記載の液晶表示装置。
【発明の詳細な説明】
【技術分野】
【０００１】
本発明は液晶表示装置に係り、さらに詳細には液晶表示装置はフィードフォワード回路部を具備して、液晶ディスプレーパネルに発生する色滲みを防止する液晶表示装置に関する。
【背景技術】
【０００２】
近来パーソナルコンピューターやＴＶなどの軽量化、薄形化によってディスプレー装置も軽量化、薄形化が要求されていて、このような要求によって陰極線管（Ｃａｔｈｏｄｅ  ｒａｙ  ｔｕｂｅ：ＣＲＴ）の代わりに液晶表示装置（Ｌｉｑｕｉｄ  ｃｒｙｓｔａｌ  ｄｉｓｐｌａｙ：ＬＣＤ）のようなフラットパネル型ディスプレーが継続的に開発されている。
【０００３】
液晶表示装置は両基板間に注入されている異方性誘電率を有する液晶物質に電界（ｅｌｅｃｔｒｉｃ  ｆｉｅｌｄ）を印加してこの電界の強度を調節して外部の光源（バックライト）から基板に透過される光量を調節することによって希望する画像信号を得る表示装置である。
【０００４】
このような液晶表示装置は携帯が簡便なフラットパネル型ディスプレーのうちで代表的なものであって、このうち、薄膜トランジスタ（Ｔｈｉｎ  ｆｉｌｍ  ｔｒａｎｓｉｓｔｏｒ：ＴＦＴ）をスイッチング素子で利用したＴＦＴ−ＬＣＤが主に利用されている。
【０００５】
一般的に、液晶表示装置は上部基板及び下部基板と、前記上部基板と下部基板との間に注入された液晶で構成された液晶パネル、液晶パネルを駆動させるための駆動回路、液晶に白色光を提供するためのバックライトを具備する。このような液晶表示装置はカラーイメージを表示する方式によって、Ｒ、Ｇ、Ｂカラーフィルター駆動方式とカラーフィールド順次駆動方式の２種類の方式に分けることができる。
【０００６】
カラーフィルター駆動方式の液晶表示装置は一つのピクセルをＲ、Ｇ、Ｂサブピクセルに分割して各Ｒ、Ｇ、ＢサブピクセルにＲ、Ｇ、Ｂカラーフィルターが配列される構造であって、一つのバックライトから光が液晶を介してＲ、Ｇ、Ｂカラーフィルターに伝達されてカラー形状をディスプレーする。
【０００７】
また、カラーフィールド順次駆動方式の液晶表示装置はＲ、Ｇ、Ｂ各色の独立した光源を順次周期的に点灯して、その点灯周期に同期して各ピクセルに対応する色信号を加えることによってフル（ｆｕｌｌ）カラーの画像を得るようにする。すなわち、前記カラーフィールド順次駆動方式の液晶表示装置はＲ、Ｇ、Ｂサブピクセルに分割されない一つのピクセルにＲ、Ｇ、Ｂバックライトが配列される構造であって、一つのピクセルにＲ、Ｇ、ＢバックライトからＲ、Ｇ、Ｂ三原色の光を液晶を介して時分割的に順次ディスプレーすることによって、目の残像効果を利用したカラー形状をディスプレーする。
【０００８】
したがって、カラーフィールド順次駆動方式はカラーフィルター方式と同一な解像度を維持しながらピクセル数１／３だけが必要であるので高集積化が可能であってカラーＴＶと同一な色再現性及び高速の動画像を具現することができる利点がある。
【０００９】
前記カラーフィールド順次駆動方式の液晶表示装置は画面の上端から下端へ次々と走査するカラーフィルター方式と違って、一つのピクセルに対してＲ、Ｇ、Ｂバックライトの駆動時間を異ならせるようにしてＲ、Ｇ、Ｂ三原色の光を合成してカラー形状を表現することであるので、１フレーム（ｆｒａｍｅ）を３個のサブフレームに分割駆動する。
【００１０】
すなわち、１フレームをＲカラーを表示するＲサブフレーム、Ｇカラーを表示するＧサブフレーム、Ｂカラーを表示するＢサブフレームに分割して、ＲサブフレームではＲバックライトが駆動されてＲカラーを表示して、ＧサブフレームではＧバックライトが駆動されてＧカラーを表示してＢサブフレームではＢバックライトが駆動されてＢカラーを表示することによって、相異なる色の光を発光するサブフレーム毎にＲ、Ｇ、Ｂカラーを表示してカラー形状を表現する。
【００１１】
カラーフィールド順次駆動方式はカラーフィルター駆動方式に比べて同一な大きさのパネルで３倍程度の解像度具現が可能であって、カラーフィルターを使わないことによって光効率が増える長所がある反面、一つのフレームが３個のサブフレームに分割して駆動するのでカラーフィルター駆動方式に比べて駆動周波数が６倍以上高い駆動周波数を必要とするので高速の動作特性が要求される。
【００１２】
液晶は物質特性上続けて同一な極性の電圧で駆動すれば液晶が劣化されるため反対極性の電圧で駆動しなければならない。したがって、任意の一つのピクセルに正極性の電圧が印加された場合には次のフレームで前記画素に負極性の電圧を印加してピクセルを駆動させなければならない。
【００１３】
図１は従来技術による液晶表示装置を概略的に示した構成図である。
【００１４】
図１を参照すると、液晶表示装置（ＬＣＤ）は液晶表示システム部１００、バックライト駆動部１１０、バックライトユニット１２０、データ駆動部１３０、スキャン駆動部１４０及び液晶ディスプレーパネル１５０を有する。
【００１５】
前記液晶表示システム部１００は内部的に電源部、制御部、データ変換器、メモリー部及びバッファー部などで構成される。
【００１６】
細部的に、前記電源部は前記液晶表示システム部１００の各該当回路部に所定の電源電圧を伝達して各該当回路部が動作されるようにする。
【００１７】
前記制御部は前記液晶表示システム部１００の各該当回路部を制御するための制御信号である記入命令信号、判読命令信号、タイミング制御信号などを生成して信号処理及び制御する。
【００１８】
また、前記データ変換器は前記制御部の制御によって動作される回路部であって、前記データ変換器に入力された映像データはデジタルデータである赤色（Ｒ）、緑色（Ｇ）、青色（Ｂ）データに変換されて前記メモリー部に伝えられる。
【００１９】
また、前記メモリー部は前記制御部の記入命令信号（ｗｒｉｔｅ  ｃｏｍｍａｎｄ）に沿って前記赤色（Ｒ）、緑色（Ｇ）、青色（Ｂ）データを保存する。すなわち、前記メモリー部に保存された赤色（Ｒ）、緑色（Ｇ）、青色（Ｂ）データは前記制御部の判読命令信号（ｒｅａｄ  ｃｏｍｍａｎｄ）に沿って前記バッファー部に伝達される。
【００２０】
また、前記バッファー部は直列データ形式であって前記メモリー部から伝えられた前記赤色（Ｒ）、緑色（Ｇ）、青色（Ｂ）データをデータ駆動部に入力する。しかしながら、前記バッファー部は必ず必要なものではないので、前記赤色（Ｒ）、緑色（Ｇ）、青色（Ｂ）データは前記メモリー部から直ちに前記データ駆動部１３０に伝送することができる。
【００２１】
前記バックライト駆動部１１０は駆動電圧発生手段及びＰＷＭ（Ｐｕｌｓｅ  Ｗｉｄｔｈ  Ｍｏｄｕｌａｔｉｏｎ）信号発生手段を具備する。前記駆動電圧発生手段は前記液晶表示システム部１００から提供する駆動条件のうちバックライトの輝度に関係された駆動条件を入力してバックライトユニット１２０に適合な順方向駆動電圧ＲＶｆ、ＧＶｆ、ＢＶｆを発生する。すなわち、前記バックライト駆動部１１０は前記液晶表示システム部１００の所定の制御信号を受信して前記バックライトユニット１２０が駆動されるように前記順方向駆動電圧を発生させて前記バックライトユニット１２０に伝達する。前記ＰＷＭ信号発生手段は前記液晶表示システム部１００から提供する駆動条件のうちバックライトユニット１２０の色度に関係された駆動条件を入力して前記バックライトユニット１２０のＲ、Ｇ、Ｂ発光ダイオードに適合なＰＷＭ信号ＲＰＷＭ、ＧＰＷＭ、ＢＰＷＭを順次発生する。
【００２２】
前記バックライトユニット１２０はＲ、Ｇ、Ｂ発光ダイオード（ＬＥＤ：ｌｉｇｈｔ  ｅｍｉｔｔｉｎｇ  ｄｉｏｄｅ）、モールドフレーム、反射シート、導光板、拡散シート、プリズムシート、保護シートで構成される。前記Ｒ、Ｇ、Ｂ  ＬＥＤは最初に光を発散する部分であって、情報通信機器及び小型携帯端末機の場合に小型の光源であるＲ、Ｇ、Ｂ  ＬＥＤが半永久的に広く使われる。前記Ｒ、Ｇ、Ｂ  ＬＥＤはそれぞれ前記バックライト駆動部１１０から提供する前記順方向駆動電圧ＲＶｆ、ＧＶｆ、ＢＶｆとＰＷＭ信号ＲＰＷＭ、ＧＰＷＭ、ＢＰＷＭにより駆動されてそれぞれ所定の輝度及び色度を有するＲ、Ｇ、Ｂ光を放出する。
【００２３】
前記モールドフレームは前記バックライトユニット１２０が具備する前記発光ダイオード（Ｒ、Ｇ、Ｂ、ＷＬＥＤ）、反射シート、導光板、拡散シート、プリズムシート及び保護シートを一つの組立てられた形態になるように維持させてくれる。
【００２４】
前記反射シートは前記発光ダイオードから出る光を導光板全反射により導光板下端部に抜けてくる光を前面に反射させて全般的な輝度を上昇させて、導光板後面から光の損失を阻んでくれる。
【００２５】
前記導光板は前記発光ダイオードから出発した光の方向を２次元平面に均等に照射させて前方に変えてくれる部品であって、このために表面に一定なパターンを印刷して光効率を高める。
【００２６】
ここで、前記導光板物質は透明アクリル樹脂で形成されて強度が高くて破られたり変形が少ないし、軽くて可視光線透過率が高いことが特徴である。
【００２７】
前記拡散シートは前記導光板から放射される光を一層さらに均一にしてくれて全体的にやんわりと処理してくれる部分であって、導光板パターンを見せないようにしてくれる。
【００２８】
前記プリズムシートは前記拡散シートによる輝度低下を光の屈折及び集光させて輝度を高めてくれる部分であって、ピラミッド形状の微細な谷（ｐｉｔｃｈ）を持っていて下の方は垂直、上側は水平で形成される。一般的に、前記プリズムシートは前記垂直及び水平各一枚ずつをワンセット（ｓｅｔ）にして使われる。すなわち、前記プリズムシートは色々な角度から上がってくる光を一定な方向にプリズム形状のピッチと角度を変えることによって正面輝度を高めるようにする。
【００２９】
前記保護シートは前記バックライトユニット１２０に印加される外部の衝撃や異物流入に起因する汚染などを防止するための保護膜であって、前記プリズムシート上に位置する。また、前記保護シートは前記プリズムシートの汚点を防止して垂直、水平ワンセットのプリズムシート使用時発生するモアレ現象を防止するために使われる。また、前記プリズムシートにより狭くなった視野角を広げてくれる機能もする。しかし、最近にはプリズムシートの機能が多く向上して前記保護シートが使われてない趨勢である。
【００３０】
前記データ駆動部１３０は前記液晶表示システム部１００から直列データ形式である所定のＲ、Ｇ、Ｂ色相データを次々と入力受けて前記液晶ディスプレーパネル１５０の複数データ線に伝達する。
【００３１】
前記スキャン駆動部１４０は前記液晶表示システム部１００から伝えられる所定のタイミング制御信号を受信して前記液晶ディスプレーパネル１５０の複数走査線に伝達する。
【００３２】
前記液晶ディスプレーパネル１５０は各種情報の表示素子であるが自ら発光できない受光型（Ｐａｓｓｉｖｅ  ｄｉｓｐｌａｙ）素子であるのでその後面に光源を置いて液晶表示装置画面を明るくしてくれる別途の装置が必要である。すなわち、前記液晶ディスプレーパネル１５０は前記バックライトユニット１２０により伝えられる光源を受けて発光する。また、前記液晶ディスプレーパネル１５０は列と行に配列された複数のピクセルと前記複数のピクセルを選択するための複数の走査線が形成される。また、前記液晶ディスプレーパネル１５０は階調データに該当する階調データ電圧及びリセット電圧を伝達するための複数のデータ線が前記複数の走査線と絶縁されて交差するように形成される。続いて、マトリックス形態に配列された複数のピクセルはそれぞれ走査線とデータ線により囲まれている、前記各ピクセルは走査線とデータ線にそれぞれゲート電極及びソース電極が連結される薄膜トランジスタと前記薄膜トランジスタのドレイン電極に連結されるピクセルキャパシターとストレージキャパシターを含む。
【００３３】
本発明と関連して、本発明によって克服される従来の液晶表示装置による問題点は次のようである。
【００３４】
前記液晶表示装置の液晶ディスプレーパネルは各ライン別に所定のＲ、Ｇ、Ｂデジタルデータを受信することにおいて、隣接したライン間に干渉現象である色滲みが頻繁に起こって前記液晶ディスプレーパネルの画質及び寿命が落ちることがある。
【００３５】
これによる問題点を解決するために前記液晶表示装置はフィードフォワード回路部を具備して、所定のＲ、Ｇ、Ｂデジタルデータから引き出した補償データが補正されて色滲み現象が起こらないようにする過程を経なければならない。
【発明の開示】
【発明が解決しようとする課題】
【００３６】
本発明の目的は液晶ディスプレーの各ライン別に受信される所定のＲ、Ｇ、Ｂデジタルデータを補償及び補正するためのフィードフォワード回路部が具備される液晶表示装置を提供する。
【課題を解決するための手段】
【００３７】
前記目的を達成するための本発明は、第１デジタルデータと第２デジタルデータを比較演算して前記比較演算による補正値を生成して、前記第２デジタルデータに前記補正値を反映して補正デジタルデータを出力するためのフィードフォワード回路部；及び前記補正デジタルデータを受信して、前記補正デジタルデータに相応する映像をディスプレーするための液晶ディスプレーパネルを含む液晶表示装置を提供する。
【００３８】
前記目的を達成するための他の本発明は、第１デジタルデータ及び第２デジタルデータを受信して、前記第１デジタルデータの”１”で表現されるビット個数及び前記第２デジタルデータの”１”で表現されるビット個数をカウンターするためのオンカウンター部と；前記第１デジタルデータの”１”で表現されるビット個数及び前記第２デジタルデータの”１”で表現されるビット個数を保存するためのメモリー部と；前記第１デジタルデータの”１”で表現されるビット個数及び前記第２デジタルデータの”１”で表現されるビット個数を演算して補償データを生成するための演算部と；前記補償データを受信して、補正係数との演算を介して補正値を形成するためのレベル調整部と；前記第２デジタルデータと前記補正値を演算して補正デジタルデータを発生するための混合器；及び前記補正デジタルデータを受信して、前記補正デジタルデータに相応する映像をディスプレーするための液晶表示装置を提供する。
【００３９】
前記目的を達成するためのまた他の本発明は、第１デジタルデータ及び第２デジタルデータを受信して、前記第１デジタルデータの０で表現されるビット個数及び前記第２デジタルデータの０で表現されるビット個数をカウンターするためのオフカウンター部と；前記第１デジタルデータの０で表現されるビット個数及び前記第２デジタルデータの０で表現されるビット個数を保存するためのメモリー部と；前記第１デジタルデータの０で表現されたビット個数及び前記第２デジタルデータの０で表現されるビット個数を演算して補償データを生成するための演算部と；前記補償データを受信して、補正係数との演算を介して補正値を形成するためのレベル調整部と；前記第２デジタルデータと前記補正値を演算して補正デジタルデータを発生するための混合器；及び前記補正デジタルデータを受信して、前記補正デジタルデータに相応する映像をディスプレーするための液晶表示装置を提供する。
【発明の効果】
【００４０】
詳述した本発明によると、前記液晶表示装置はフィードフォワード回路部が具備されて液晶ディスプレーパネルの各ライン別に発生する色滲み現象が防止される効果を与える。
【発明を実施するための最良の形態】
【００４１】
以下、本発明の添付した図面を参照しながら詳細に説明すると次のようである。
【００４２】
図２は本発明の実施形態によるフィードフォワード回路部が具備される液晶表示装置を概略的に示した構成図である。
【００４３】
図２を参照すると、前記液晶表示装置（ＬＣＤ）は液晶表示システム部２００、バックライト駆動部２１０、バックライトユニット２２０、フィードフォワード回路部２３０、データ駆動部２４０、スキャン駆動部２５０及び液晶ディスプレーパネル２６０を具備する。
【００４４】
細部的に、前記液晶表示システム部２００は前記液晶ディスプレーパネル２６０がディスプレーされるように所定の制御信号を発生させて、前記バックライト駆動部２１０、バックライトユニット２２０、フィードフォワード回路部２３０、データ駆動部２４０及びスキャン駆動部２５０が動作されるように前記制御信号を伝達する。
【００４５】
バックライト駆動部２１０は駆動電圧発生手段、ＰＷＭ（Ｐｕｌｓｅ  Ｗｉｄｔｈ  Ｍｏｄｕｌａｔｉｏｎ）信号発生手段を具備する。前記駆動電圧発生手段はバックライトの輝度に関係された駆動条件を入力してバックライトユニット２２０に適合な順方向駆動電圧ＲＶｆ、ＧＶｆ、ＢＶｆを発生する。すなわち、前記バックライト駆動部２１０は所定の駆動制御信号を入力受けて前記バックライトユニット２２０が駆動されるように前記順方向駆動電圧を発生させて前記バックライトユニット２２０に伝達する。前記ＰＷＭ信号発生手段はバックライトユニット２２０の色度に関係された駆動条件を入力して前記バックライトユニット２２０のＲ、Ｇ、Ｂ発光ダイオードに適合なＰＷＭ信号ＲＰＷＭ、ＧＰＷＭ、ＢＰＷＭを順次発生する。
【００４６】
バックライトユニット２２０はＲ、Ｇ、Ｂ三原色の光が次々と放出されるＲ、Ｇ、Ｂ発光ダイオード（ＬＥＤ：ｌｉｇｈｔ  ｅｍｉｔｔｉｎｇ  ｄｉｏｄｅ）、モールドフレーム、反射シート、導光板、拡散シート、プリズムシート及び保護シートで構成される。
【００４７】
まず、前記Ｒ、Ｇ、Ｂ発光ダイオードはＲ光を放出するＲＬＥＤ、Ｇ光を放出するＧＬＥＤ及びＢ光を放出するＢＬＥＤで構成されて液晶ディスプレーパネル２６０に次々と光を発散する。前記Ｒ、Ｇ、Ｂ  ＬＥＤはそれぞれ前記バックライト駆動部２１０から提供する前記順方向駆動電圧ＲＶｆ、ＧＶｆ、ＢＶｆとＰＷＭ信号ＲＰＷＭ、ＧＰＷＭ、ＢＰＷＭにより駆動されて所定のイネーブル信号によってそれぞれ所定の輝度及び色度を有するＲ、Ｇ、Ｂ光を選択的に放出する。
【００４８】
前記モールドフレームは前記バックライトユニット２２０が具備する前記発光ダイオードＲ、Ｇ、Ｂ  ＬＥＤ、反射シート、導光板、拡散シート、プリズムシート及び保護シートを一つの組立てられた形態になるように維持させてくれる。
【００４９】
前記反射シートは前記発光ダイオードから出る光を導光板全反射により導光板下端部に抜けてくる光を前面に反射させて全般的な輝度を上昇させて、導光板後面から光の損失を阻んでくれる。
【００５０】
前記導光板は前記発光ダイオードから出発した光の方向を２次元平面に均等に照射させて前方に変えてくれる部品であって、このために表面に一定なパターンを印刷して光効率を高める。
【００５１】
ここで、前記導光板物質は透明アクリル樹脂で形成されて強度が高くて破られたり変形が少ないし、軽くて可視光線透過率が高いことが特徴である。
【００５２】
前記拡散シートは前記導光板から放射される光を一層さらに均一にしてくれて全体的に円滑に処理してくれる部分であって、導光板のパターンを見せないようにしてくれる。
【００５３】
前記プリズムシートは前記拡散シートによる輝度低下を光の屈折及び集光させて輝度を高めてくれる部分であって、ピラミッド形状(pyramid)の微細な谷（ｐｉｔｃｈ）を持っていて下の方は垂直、上側は水平で形成される。一般的に、前記プリズムシートは垂直プリズム及び水平プリズムを一つのセット（ｓｅｔ）で置く。すなわち、前記プリズムシートは色々な角度から上がってくるＲ、Ｇ、Ｂ光をプリズム形状のピッチと角度で一定な方向に変えて正面輝度を高めてくれる役割をする。
【００５４】
前記保護シートは前記バックライトユニット２２０に印加される外部の衝撃や異物流入に起因する汚染などを防止するために保護膜として、前記プリズムシート上に位置する。また、前記保護シートは前記プリズムシートの汚点を防止して、前記ワンセットプリズムシート使用時、発生するモアレ現象を防止する。また、前記保護シートは前記プリズムシートにより狭くなった視野角を広げてくれる機能もする。しかし、最近にはプリズムシートの機能が多く向上して保護シートが使われてない趨勢である。
【００５５】
また、前記フィードフォワード回路部（ｆｅｅｄ−ｆｏｒｗａｒｄ  ｃｉｒｃｕｉｔ）２３０は受信されるＲ、Ｇ、Ｂデジタルデータを液晶ディスプレーパネル２６０の各ライン別に伝達するにおいて、前記Ｒ、Ｇ、Ｂデジタルデータは最も近い順番に入力されるＲ、Ｇ、Ｂデジタルデータと相互に比較分析されて補正される。したがって、前記フィードフォワード回路部２３０から補正されたＲ、Ｇ、Ｂデジタルデータはデータ駆動部２４０を経た後、前記液晶ディスプレーパネル２６０の各ライン別に出力される。
【００５６】
前記データ駆動部２４０は所定のイネーブル信号によって直列データ形式である所定のＲ、Ｇ、Ｂデジタルデータを次々と受信して前記液晶ディスプレーパネル２６０の複数データ線に伝達する。
【００５７】
前記スキャン駆動部２５０は所定のタイミング制御信号を選択的に受信して前記液晶ディスプレーパネル２６０の複数走査線に伝達して複数のピクセルを制御する。
【００５８】
前記液晶ディスプレーパネル２６０は一般的に、各種情報の表示素子であるが自ら発光できない受光型（ｐａｓｓｉｖｅ  ｄｉｓｐｌａｙ）素子であるのでその後面に光源を置いて液晶表示装置画面を明るくしてくれる別途の装置が必要である。すなわち、前記液晶ディスプレーパネル２６０は前記バックライトユニット２２０により伝えられる光源を受けて発光する。また、前記液晶ディスプレーパネル２６０は列と行に配列された複数のピクセルと前記複数のピクセルを選択するための複数の走査線が形成される。また、前記液晶ディスプレーパネル２６０は階調データに該当する階調データ電圧及びリセット電圧を伝達するための複数のデータ線が前記複数の走査線と絶縁されて交差するように形成される。続いて、マトリックス形態に配列された複数のピクセルはそれぞれ走査線とデータ線により囲まれている。前記各ピクセルは走査線とデータ線にそれぞれゲート電極及びソース電極が連結される薄膜トランジスタと前記薄膜トランジスタのドレイン電極に連結されるピクセルキャパシターとストレージキャパシターを含む。
【００５９】
ここで、前記液晶ディスプレーパネル２６０で使われる液晶物質は結晶（ｃｒｙｓｔａｌ）と液晶（ｌｉｑｕｉｄ）の特性をすべて有して温度転移型（ｔｈｅｒｍｏｔｒｏｐｉｃ  ＬＣ）と有機溶媒混合型（ｌｙｏｔｒｏｐｉｃ  ＬＣ）がある。
【００６０】
図３は本発明の実施形態による液晶表示装置に具備されるフィードフォワード回路部を図示した細部構成図である。
【００６１】
図３を参照すると、液晶表示装置に具備されるフィードフォワード回路部２３０はオン／オフカウンター部（ＯＮ／ＯＦＦ  Ｃｏｕｎｔｅｒ）２３１、メモリー部（Ｍｅｍｏｒｙ）２３２、演算部（Ｏｐｅｒａｔｉｏｎ）２３３、レベル調整部（Ｌｅｖｅｌ  ｒｅｇｕｌａｔｏｒ）２３４及び混合器（Ｍｉｘｅｒ）２３５で構成される。
【００６２】
前記フィードフォワード回路部２３０が受信されるＲ、Ｇ、Ｂデジタルデータを液晶ディスプレーパネルの各ライン別に伝達するとき、前記Ｒ、Ｇ、Ｂデジタルデータは最も近い順番に入力されるＲ、Ｇ、Ｂデジタルデータと相互に比較分析されて、補正される。すなわち、前記フィードフォワード回路部２３０は補正されるＲ、Ｇ、Ｂデジタルデータを前記液晶ディスプレーの各ライン別に出力する。
【００６３】
また、前記フィードフォワード回路部２３０は第１フィードフォワード及び第２フィードフォワードで形成される。前記第１フィードフォワードは前記オン／オフカウンター部２３１、メモリー部２３２、演算部２３３及びレベル調整部２３４で構成される経路であって、前記第２フィードフォワードは前記液晶ディスプレーのｎ番目に入力されるＲ、Ｇ、Ｂデジタルデータが混合器２３５に反映される経路である。
【００６４】
すなわち、前記第１フィードフォワードは前記液晶ディスプレーパネルのｎ−１番目に入力されるＲ、Ｇ、Ｂデジタルデータのうちに”１”で表現されるビット個数と前記液晶ディスプレーパネルのｎ番目に入力されるＲ、Ｇ、Ｂデジタルデータのうちに”１”で表現されるビット個数を比較演算して前記液晶ディスプレーパネルのＲ、Ｇ、Ｂデジタルデータに対する補正データを生成するための経路である。
【００６５】
前記第２フィードフォワードは前記液晶ディスプレーのｎ番目に入力されるＲ、Ｇ、Ｂデジタルデータを伝送するための経路である。
【００６６】
これにより、前記フィードフォワード回路部２３０は第１フィードフォワードの出力値である補正データと第２フィードフォワードの出力値である液晶ディスプレーのｎ番目に入力されるＲ、Ｇ、Ｂデジタルデータを前記混合器２３５で演算して、補正されたＲ、Ｇ、Ｂデジタルデータが引出されるようにした回路部である。
【００６７】
細部的に、前記フィードフォワード回路部２３０のオン／オフカウンター部２３１は所定のＲ、Ｇ、Ｂデジタルデータを受信する。前記オン／オフカウンター部２３１は前記Ｒ、Ｇ、Ｂデジタルデータを受信して液晶ディスプレーパネルのｎ−１番目に入力される前記Ｒ、Ｇ、ＢデジタルデータＲ、Ｇ、Ｂ  Ｄａｔａ（ｎ−１）のビット状態を観察する。すなわち、前記Ｒ、Ｇ、Ｂ  Ｄａｔａ（ｎ−１）のビットが”１”である場合にオン（ＯＮ）に認識して、０である場合にオフ（ＯＦＦ）で認識する。したがって前記オン／オフカウンター部２３１はＲ、Ｇ、Ｂ  Ｄａｔａ（ｎ−１）のオン（ＯＮ）またはオフ（ＯＦＦ）されるビット数を計算した後、前記Ｒ、Ｇ、Ｂ  Ｄａｔａ（ｎ−１）のオン／オフビット数をメモリー部２３２に送信する。
【００６８】
また、前記オン／オフカウンター部２３１は前記液晶ディスプレーパネルのｎ−１番目に入るＲ、Ｇ、ＢデジタルデータＲ、Ｇ、Ｂ  Ｄａｔａ（ｎ−１）が前記メモリー部２３２に伝えられれば、前記オン／オフカウンター部２３１は前記液晶ディスプレーパネルのｎ番目に入っていく前記Ｒ、Ｇ、ＢデジタルデータＲ、Ｇ、Ｂ  Ｄａｔａ（ｎ）のビット状態を観察する。すなわち、前記オン／オフカウンター部２３１はＲ、Ｇ、Ｂ  Ｄａｔａ（ｎ）のオン（ＯＮ）またはオフ（ＯＦＦ）されるビット数を計算した後、メモリー部２３２に保存されるように前記Ｒ、Ｇ、Ｂ  Ｄａｔａ（ｎ）のオン／オフビット数を送る。
【００６９】
これにより、前記オン／オフカウンター部２３１は前記液晶ディスプレーパネルのｎ−１番目に入力される前記Ｒ、Ｇ、ＢデジタルデータＲ、Ｇ、Ｂ  Ｄａｔａ（ｎ−１）のオン／オフビット数及びｎ番目に入力される前記Ｒ、Ｇ、ＢデジタルデータＲ、Ｇ、Ｂ  Ｄａｔａ（ｎ）のオン／オフビット数を前記メモリー部２３２に伝送する。
【００７０】
ここで、前記Ｒ、Ｇ、Ｂ  Ｄａｔａ（ｎ−１）のオン／オフビット数及びＲ、Ｇ、Ｂ  Ｄａｔａ（ｎ）のオン／オフビット数は最大で１００個程度の０または”１”の値を有する。
【００７１】
前記メモリー部２３２は前記オン／オフカウンター部２３１から伝えられるＲ、Ｇ、Ｂ  Ｄａｔａ（ｎ−１）のオン／オフビット数とＲ、Ｇ、Ｂ  Ｄａｔａ（ｎ）のオン／オフビット数を順序通り受信して住所番地に保存する。
【００７２】
また、前記メモリー部２３２は住所番地に保存された前記Ｒ、Ｇ、Ｂ  Ｄａｔａ（ｎ−１）のオン／オフビット数及びＲ、Ｇ、Ｂ  Ｄａｔａ（ｎ）のオン／オフビット数を演算部２３３に伝達する。
【００７３】
前記演算部２３３は前記メモリー部２３２から伝えられるＲ、Ｇ、Ｂ  Ｄａｔａ（ｎ−１）のオン／オフビット数及びＲ、Ｇ、Ｂ  Ｄａｔａ（ｎ）のオン／オフビット数を受信して、前記メモリー部２３２の住所番地に保存されているデータを持ってくるための所定のコマンド信号(ｃｏｍｍａｎｄ  ｓｉｇｎａｌ)を送る。また、前記演算部２３３はＲ、Ｇ、Ｂ  Ｄａｔａ（ｎ−１）のオン／オフビット数及びＲ、Ｇ、Ｂ  Ｄａｔａ（ｎ）のオン／オフビット数を相互に比較して、前記Ｒ、Ｇ、Ｂ  Ｄａｔａ（ｎ−１）のオン／オフビット数及びＲ、Ｇ、Ｂ  Ｄａｔａ（ｎ）のオン／オフビット数を演算する。
【００７４】
ここで、前記Ｒ、Ｇ、Ｂ  Ｄａｔａ（ｎ−１）のオン／オフビット数は”１”または”０”で構成されたビット個数を有して、Ｒ、Ｇ、Ｂ  Ｄａｔａ（ｎ）のオン／オフビット数も”１”または“０”で構成されたビット個数を有する。
【００７５】
前記補償データΔdiff は前記Ｒ、Ｇ、Ｂ  Ｄａｔａ（ｎ）のオン／オフビット数に対してＲ、Ｇ、Ｂ  Ｄａｔａ（ｎ−１）のオン／オフビット数を引いた値を言い、前記補償データΔdiffは第１補償データΔdiff１及び第２補償データΔdiff2に分けることができる。
【００７６】
まず、前記第１補償データΔdiff１は前記液晶ディスプレーパネルのｎラインに入力されるＲ、Ｇ、ＢデジタルデータＲ、Ｇ、Ｂ  Ｄａｔａ（ｎ）を基準にして、”１”の個数がカウンターされたビット個数Ｄｏｎ（ｎ）から前記液晶ディスプレーパネルのｎ−１ラインに入力されるＲ、Ｇ、ＢデジタルデータＲ、Ｇ、Ｂ  Ｄａｔａ（ｎ−１）を基準にして、”１”の個数がカウンターされたビット個数Ｄｏｎ（ｎ−１）を引き算演算した差分である。
【００７７】
また、前記第２補償データΔdiff2は前記液晶ディスプレーパネルのｎラインに入力されるＲ、Ｇ、ＢデジタルデータＲ、Ｇ、Ｂ  Ｄａｔａ（ｎ）を基準にして、０の個数がカウンターされたビット個数Ｄｏｆｆ（ｎ）から前記液晶ディスプレーパネルのｎ−１ラインに入力されるＲ、Ｇ、ＢデジタルデータＲ、Ｇ、Ｂ  Ｄａｔａ（ｎ−１）を基準にして、０の個数がカウンターされたビット個数Ｄｏｆｆ（ｎ−１）を引き算演算した差分である。
【００７８】
また、前記第２補償データΔdiff2は前記液晶ディスプレーパネルのｎラインに入力されるＲ、Ｇ、ＢデジタルデータＲ、Ｇ、Ｂ  Ｄａｔａ（ｎ）を基準にして、０の個数がカウンターされたビット個数Ｄｏｆｆ（ｎ）から前記液晶ディスプレーパネルのｎ−１ラインに入力されるＲ、Ｇ、ＢデジタルデータＲ、Ｇ、Ｂ  Ｄａｔａ（ｎ−１）を基準にして、０の個数がカウンターされたビット個数Ｄｏｆｆ（ｎ−１）を引き算演算した差分である。
【００７９】
すなわち、式(1)及び式(2)で示したように、前記演算部２３３の演算実行によって補償データΔdiffは第１補償データΔdiff１または第２補償データΔdiff2に区分されて計算される。
【００８０】
【数１】
2006235569.tif 000003
【００８１】
【数２】
2006235569.tif 000004
【００８２】
したがって、前記演算部２３３は第１補償データΔdiff１を求める式(1)または第２補償データΔdiff2を求める式(2)中に一つの式だけ選択される。
【００８３】
言い換えると、前記式(1)を通じて求めた第１補償データΔdiff１または式(2)を通じて求めた第２補償データΔdiff2は前記演算部２３３により一つだけが選択されてレベル調整部２３４に出力される。
【００８４】
続いて、前記レベル調整部２３４は前記演算部２３３から伝えられる第１補償データΔdiff１または第２補償データΔdiff2を受信して前記第１補償データΔdiff１または第２補償データΔdiff2が一定に維持されるように調律及び調整してくれる回路部である。
【００８５】
すなわち、前記レベル調整部２３４は前記演算部２３３から伝えられる第１補償データΔdiff１または第２補償データΔdiff2を受信して所定のアルゴリズムを介して前記第１補償データΔdiff１または第２補償データΔdiff2が一定に維持されるように補正係数αを形成する。また、前記第１補償データΔdiff１または第２補償データΔdiff2は継続的に変化する値であるので前記補正係数αは前記第１補償データΔdiff１または第２補償データΔdiff2が急激に変化することを防止してくれて発振（ｏｓｃｉｌｌａｔｉｏｎ）現象が起こらないように調節してくれる。
【００８６】
また、前記補正係数αは前記第１補償データΔdiff１または第２補償データΔdiff2値によって流動的に変化する。
【００８７】
ここで、前記補正係数αは２種の補償データである前記第１補償データΔdiff１または第２補償データΔdiff2を有するので、前記第１補償データΔdiff１を補正するための第１補正係数α1と第２補償データΔdiff2を補正するための第２補正係数α２が所定のアルゴリズムを介して求められる。
【００８８】
したがって、前記レベル調整部２３４は前記第１補正係数α1第１補償データΔdiff１が相互に補完及び調整されるために倍の形式で出力される第１補正データα1Δdiff１が生成され、前記第２補正係数α２と第２補償データΔdiff２も相互に補完及び調整できるように倍の形式で出力される第２補正データα2Δdiff２が生成される。前記第１補正データα１Δdiff１または第２補正データα2Δdiff２は前記レベル調整部２３４により一つだけが選択されて前記混合器２３５に伝えられる。
【００８９】
続いて、前記混合器２３５は式(3)及び式(4)で見るように、前記オン／オフカウンター部２３１に入力されるＲ、Ｇ、Ｂ  Ｄａｔａ（ｎ）から前記第１補正データα１Δdiff１または第２補正データα2Δdiff２中に一つだけが選択された値を減算させて、結果分で出てきた第１補正Ｒ、Ｇ、ＢデジタルデータＤＡＴＡ1(n)または第２補正Ｒ、Ｇ、ＢデジタルデータＤＡＴＡ２(n)を受信する。
【００９０】
【数３】
2006235569.tif 000005
【００９１】
【数４】
2006235569.tif 000006
【００９２】
前記式(3)は前記オン／オフカウンター部２３１に受信されるＲ、Ｇ、Ｂ  Ｄａｔａ（ｎ）、前記Ｒ、Ｇ、Ｂ  Ｄａｔａ（ｎ）の”１”の個数のみをカウンターしたビット数からＲ、Ｇ、Ｂ  Ｄａｔａ（ｎ−１）の”１”の個数のみをカウンターしたビット数を引いた第１補償データΔdiff１及び前記レベル調整部のあらかじめインプラント(implant)された所定のアルゴリズムを介して生成される第１補正係数α１が適用された数学式である。
【００９３】
また、前記式(4)は前記オン／オフカウンター部２３１に受信されるＲ、Ｇ、Ｂ  Ｄａｔａ（ｎ）、前記Ｒ、Ｇ、Ｂ  Ｄａｔａ（ｎ）の０の個数のみをカウンターしたビット数からＲ、Ｇ、Ｂ  Ｄａｔａ（ｎ−１）の０の個数のみをカウンターしたビット数を引いた第２補償データΔdiff２及び前記レベル調整部のあらかじめインプラントされた所定のアルゴリズムを介して生成される第２補正係数α2が適用された数学式である。
【００９４】
したがって、前記混合器２３５を通じて演算される第１補正Ｒ、Ｇ、ＢデジタルデータＤＡＴＡ1(n)または第２補正Ｒ、Ｇ、ＢデジタルデータＤＡＴＡ２(n)はデータ駆動部を経て、前記液晶ディスプレーパネルに出力される。
【００９５】
ここで、前記フィードフォワード回路部２３０の第２フィードフォワードは遅延回路（ｄｅｌａｙ  ｃｉｒｃｕｉｔ）をさらに含めて、前記第２フィードフォワードを介して出力されるＲ、Ｇ、Ｂデジタルデータの伝達時間と前記第１フィードフォワードの各回路部を介して出力される第１補正データα１Δdiff１または第２補正データα2Δdiff２の伝達時間を調節して遅延時間（ｄｅｌａｙ  ｔｉｍｅ）を除去するようにする。
【００９６】
本発明の実施形態による液晶表示装置はフィードフォワード回路部を介して前記液晶ディスプレーパネルのｎ−１番目ラインとｎ番目ライン間に発生する干渉現象である色滲みを補償及び補正して前記液晶ディスプレーの画質及び寿命を向上させる。
【００９７】
また、本発明の実施形態による液晶表示装置はカラーフィールド順次駆動方式を適用して１フレームを基準にしてＲｅｄ、Ｇｒｅｅｎ、Ｂｌｕｅ各三原色の独立した光源を周期的に順次ディスプレーされることを限定して、前記カラーフィールド順次駆動方式の液晶表示装置は具備される液晶を介して前記三原色が時分割的に順次ディスプレーされることによって、目の残像効果を利用したカラー形状が表現される。
【００９８】
前記では本発明の望ましい実施形態を参照しながら説明したが、該技術分野の熟練された当業者は特許請求の範囲に記載された本発明の思想及び領域から外れない範囲内で本発明を多様に修正及び変更させることができることを理解することができることである。
【図面の簡単な説明】
【００９９】
【図１】従来技術による液晶表示装置を概略的に示した構成図である。
【図２】本発明の実施形態によるフィードフォワード回路部が具備される液晶表示装置を概略的に示した構成図である。
【図３】本発明の実施形態による液晶表示装置に具備されるフィードフォワード回路部を図示した細部構成図である。
【符号の説明】
【０１００】
２００    液晶表示システム部
２１０    バックライト駆動部
２２０    バックライトユニット
２３０    フィードフォワード回路部
２３１    オン／オフカウンター部
２３２    メモリー部
２３３    演算部
２３４    レベル調整部
２３５    混合器
２４０    データ駆動部
２５０    スキャン駆動部
２６０    液晶ディスプレーパネル
【図１】
2006235569.tif 000007
【図２】
2006235569.tif 000008
【図３】
2006235569.tif 000009